(57)【要約】  内部に衣類を収納する箱本体（１）と、箱本体（１）の内部に取り付けられているハンガー掛け部材（７０）と、を備える通い箱（１００）であって、ハンガー掛け部材（７０）は、ハンガーのフックが掛けられるハンガーバー（７２）を有するハンガー掛け本体（７１）と、固定部材（７５）と、を備え、固定部材（７５）は、ハンガーバー（７２）の上方でハンガーバー（７２）の長手方向に沿って伸長された状態で、ハンガー掛け本体（７１）に取り付けられている。
2017212536.tif 000002
【特許請求の範囲】
【請求項１】
内部に衣類を収納する箱本体と、前記箱本体の内部に取り付けられているハンガー掛け部材と、を備える通い箱であって、
前記ハンガー掛け部材は、ハンガーのフックが掛けられるハンガーバーを有するハンガー掛け本体と、固定部材と、を備え、
前記固定部材は、前記ハンガーバーの上方で前記ハンガーバーの長手方向に沿って伸長された状態で、前記ハンガー掛け本体に取り付けられている、通い箱。
【請求項２】
前記固定部材が弾性を有する、請求項１に記載の通い箱。
【請求項３】
前記固定部材が、ゴム弾性を有する帯状部材を含んで構成されている、請求項２に記載の通い箱。
【請求項４】
前記固定部材が前記ハンガーバーの上面に接している、請求項１〜３のいずれかに記載の通い箱。
【請求項５】
前記ハンガーバーの上面に凸部が設けられている、請求項１〜３のいずれかに記載の通い箱。
【請求項６】
前記凸部が複数設けられている、請求項５に記載の通い箱。
【請求項７】
前記固定部材の端部に、前記凸部に引っ掛けて固定するための係止部が設けられている、請求項５または６に記載の通い箱。
【請求項８】
前記固定部材が前記凸部の上面に接している、請求項５〜７のいずれかに記載の通い箱。
【請求項９】
前記ハンガー掛け部材が、前記箱本体の内部に着脱可能に取り付けられている、請求項１〜８のいずれかに記載の通い箱。
【請求項１０】
前記箱本体が折りたたみ可能に構成されている、請求項１〜９のいずれかに記載の通い箱。
【発明の詳細な説明】
【技術分野】
【０００１】
本発明は、製品等の輸送に用いられる箱であって、製品等を目的地に輸送した後、その空箱は輸送元に返送され、繰り返し使用される通い箱に関する。
【背景技術】
【０００２】
衣類をハンガーに吊るした状態で収納することができる通い箱が提案されている。このような通い箱として、例えば特許文献１には、収納部の天井部近傍に設けられたハンガー掛止用の横桟と、下面に弾性部材を有する固定具本体と、を備えた衣類搬送用折り畳みコンテナが記載されている。特許文献１の衣類搬送用折り畳みコンテナによれば、ハンガーを掛けた横桟と収納部の天井部下面との間に固定具本体を挿入することによって、ハンガーのフックの上面部分を弾性部材で押さえることができる。これにより、輸送時にコンテナが振動することによるハンガーの落下を防止することできる。
【先行技術文献】
【特許文献】
【０００３】
【特許文献１】特開２００６−２１３３５５号公報
【発明の概要】
【発明が解決しようとする課題】
【０００４】
しかしながら、特許文献１の衣類搬送用折り畳みコンテナでは、弾性部材でハンガーのフックの上面部分を押さえるために、固定具本体は、天井部下面と横桟との間の隙間とほぼ等しい厚みを有している必要があり、固定具本体を天井部下面と横桟との間に挿入する作業は容易ではない。【０００５】
本発明は上記従来の課題を解決するためになされたものであり、その目的とするところは、衣類をハンガーに吊るした状態で輸送することができ、難しい作業を必要とすることなく輸送時のハンガーの落下を防止した通い箱を提供することにある。
【課題を解決するための手段】
【０００６】
本発明の通い箱は、内部に衣類を収納する箱本体と、前記箱本体の内部に取り付けられているハンガー掛け部材と、を備える通い箱であって、前記ハンガー掛け部材は、ハンガーのフックが掛けられるハンガーバーを有するハンガー掛け本体と、固定部材と、を備え、前記固定部材は、前記ハンガーバーの上方で前記ハンガーバーの長手方向に沿って伸長された状態で、前記ハンガー掛け本体に取り付けられている。
１つの実施形態においては、前記固定部材が弾性を有する。
１つの実施形態においては、前記固定部材が、ゴム弾性を有する帯状部材を含んで構成されている。
１つの実施形態においては、前記固定部材が前記ハンガーバーの上面に接している。
１つの実施形態においては、前記ハンガーバーの上面に凸部が設けられている。
１つの実施形態においては、前記凸部が複数設けられている。
１つの実施形態においては、前記固定部材の端部に、前記凸部に引っ掛けて固定するための係止部が設けられている。
１つの実施形態においては、前記固定部材が前記凸部の上面に接している。
１つの実施形態においては、前記ハンガー掛け部材が、前記箱本体の内部に着脱可能に取り付けられている。
１つの実施形態においては、前記箱本体が折りたたみ可能に構成されている。
【発明の効果】
【０００７】
本発明によれば、衣類をハンガーに吊るした状態で輸送することができ、かつ、難しい作業を必要とすることなく輸送時のハンガーの落下を防止することができる。
【図面の簡単な説明】
【０００８】
【図１】本発明の実施形態に係る通い箱の構成の一例を示す斜視図である。
【図２】ハンガー掛け部材の構成の一例を示す正面図である。
【図３】ハンガー掛け本体の構成の一例を示す斜視図である。
【図４】ハンガー掛け本体から外した状態の固定部材の構成の一例を示す平面図である。
【図５】箱本体の開いた状態を示す斜視図である。
【図６】箱本体を折りたたむ手順を工程に示す斜視図である。
【図７】箱本体を折りたたむ手順を工程に示す斜視図である。
【図８】箱本体を折りたたむ手順を工程に示す斜視図である。
【図９】箱本体を折りたたむ手順を工程に示す斜視図である。
【発明を実施するための形態】
【０００９】
本発明の一実施形態の通い箱について、図１〜図９に基づいて詳細に説明する。図１は、本発明の実施形態に係る通い箱の構成の一例を示す斜視図である。図１に示すように、通い箱１００は、箱本体１と、箱本体１の内部に取り付けられているハンガー掛け部材７０と、を備えている。箱本体１の形状は特に限定されないが、図示例では直方体形状である。
【００１０】
後述するように、ハンガー掛け部材７０は、ハンガーバーを有するハンガー掛け本体と、固定部材と、を備える。固定部材は、ハンガーバーの上方でハンガーバーの長手方向に沿って伸長された状態で、ハンガー掛け本体に取り付けられている。これにより、難しい作業を必要とせず、ハンガーバーに掛けられたハンガーを容易に固定することができ、輸送時のハンガーの落下を防止した通い箱１００を実現することができる。
【００１１】
＜ハンガー掛け部材＞
図１に示すように、ハンガー掛け部材７０は、箱本体１の内部に略水平に配置される。ハンガー掛け部材７０には、衣類を吊るしたハンガーを掛けることができる。これにより、通い箱１００を用いて、衣類をハンガーに吊るした状態で輸送することができる。ハンガー掛け部材７０を箱本体１の内部に配置するための構成としては、任意の適切な構成を採用し得る。上記構成としては、例えば、箱本体１の内面に、ハンガー掛け部材７０を引っ掛けて固定するための取付部５３が設けられている構成が挙げられる。
【００１２】
図２は、ハンガー掛け部材の構成の一例を示す正面図である。図２に示すように、ハンガー掛け部材７０は、ハンガー掛け本体７１と、固定部材７５と、を備えている。固定部材７５は、ハンガーバー７２の長手方向に沿って伸長された状態で、ハンガーバー７２の全部または一部を覆うように、ハンガー掛け本体７１に取り付けられている。より具体的には、ハンガー掛け部材７０を箱本体１の内部に取り付けた状態で、固定部材７５は、ハンガーバー７２の上方に位置するとともに、ハンガーバー７２の長手方向に沿って伸長された状態でハンガー掛け本体７１に取り付けられている。
【００１３】
図３は、ハンガー掛け本体の構成の一例を示す斜視図である。図２および図３に示すように、ハンガー掛け本体７１は、ハンガーのフックが掛けられる部分であるハンガーバー７２と、ハンガーバー７２の両端に設けられた装着部７３とを備えている。ハンガーバー７２は棒状の部材であり、形状は特に限定されず、一般的なハンガーのフックを掛けることができる程度の太さまたは径を有している。図３に示す例では、ハンガーバー７２は、概略的には上半分に曲面部分を有する半円柱形状である。また、ハンガーバー７２の長さは、箱本体のサイズに応じて適宜設計することができ、例えば３００ｍｍ〜６００ｍｍであり、代表的には４８０ｍｍ程度である。装着部７３は、図中の下側が開口したコの字形状を有している。装着部７３を、箱本体１の内面に設けられた取付部５３に引っ掛けることによって、ハンガー掛け部材７０を箱本体１の内部に着脱自在に取り付けることができる。ハンガー掛け本体７１は、任意の適切な材料により形成することができ、代表的には、ポリエチレンテレフタレート樹脂により形成することができる。
【００１４】
図４は、ハンガー掛け本体から外した状態の固定部材の構成の一例を示す平面図である。固定部材７５は、代表的にはゴム弾性を有している。固定部材７５は、ハンガー掛け本体７１に着脱可能に取り付けられていてもよいし、着脱不能に固定されていてもよい。また、固定部材７５をハンガー掛け本体７１に取り付けるための構成は特に限定されず、任意の適切な構成を採用し得る。上記構成の具体例として、固定部材７５に、スナップボタン、面ファスナなどを設けた構成が挙げられる。図４に示す例では、固定部材７５は、ゴム弾性を有する帯状の伸長バンド７６と、伸長バンド７６の両端に設けられ、ハンガー掛け本体７１に取り付けるための係止部７７とを備えている。各係止部７７にはスナップボタン７８が設けられており、係止部７７をハンガーバー７２に巻き付けた状態でスナップボタン７８を留めることによって、固定部材７５をハンガー掛け本体７１に取り付けることができる。
【００１５】
また、図２に示す例では、ハンガーバー７２の上面に、長手方向に沿って並ぶ複数の凸部７４が設けられている。複数の凸部７４のうち何れかの凸部７４（代表的には最も端の凸部）の外側で、係止部７７をハンガーバー７２に巻き付けた状態でスナップボタン７８を留めることによって、固定部材７５を凸部７４に引っ掛けてハンガーバー７２に取り付けることができる。
【００１６】
なお、図２に示す例では、固定部材７５はハンガーバー７２に取り付けられているが、固定部材７５は、装着部７３に取り付けられていてもよい。
【００１７】
上述したように、ハンガー掛け部材７０は、固定部材７５が、ハンガーバー７２の長手方向に沿って伸長された状態で、ハンガーバー７２の上方に位置している。これにより、ハンガーバー７２に掛けられたハンガーは、固定部材７５によって、固定部材７５の弾性率に応じた力で上方から押さえられる。その結果、輸送時に通い箱１００が振動した場合であっても、ハンガーの落下を防止することができる。
【００１８】
なお、固定部材７５とハンガーバー７２との間の隙間が小さいほど、輸送時のハンガーの落下をより確実に防止することができる。したがって、固定部材７５は、ハンガーバー７２との間の隙間が小さくなるようにハンガー掛け本体７１に固定されていることが好ましく、ハンガーバー７２の上面（凸部７４が設けられている場合には凸部７４の上面）に接した状態でハンガー掛け本体７１に固定されていることがより好ましい。
【００１９】
また、ハンガーバー７２にハンガーを掛ける際、作業者は、固定部材７５を上方に引き上げることによってハンガーバー７２と固定部材７５との間の隙間を広げた状態で、上記隙間にハンガーのフックを入れてフックをハンガーバー７２に掛けることができる。したがって、難しい作業を必要とすることなく、ハンガーをハンガーバー７２に掛けることができる。
【００２０】
伸長バンド７６および係止部７７の材料および形状については、任意の適切な材料および形状を採用し得る。伸長バンド７６の材料として、天然ゴム、ポリウレタンなどが挙げられ、係止部７７の材料として、ポリプロピレン、ポリエステル、ナイロンなどが挙げられる。また、伸長バンド７６は、例えば、長さが２８０ｍｍ〜３８０ｍｍであり、幅が２５ｍｍ〜５０ｍｍであり、厚みが０．１ｍｍ〜２ｍｍのものを採用することができる。係止部７７は、長さが１１０ｍｍ〜１２０ｍｍであり、幅が２５ｍｍのものを採用することができる。
【００２１】
ハンガーバー７２に取り付けられた状態における伸長バンド７６の伸長率（取り付けられていない状態での長さに対する取り付けられた状態での長さの比）は、例えば、１２０％〜１６０％とすることができる。また、伸長バンド７６の破断長さは、１８０％〜２００％とすることができる。なお、ハンガーバー７２の長さ、伸長バンド７６の長さ、および伸長バンド７６の伸長率は、固定部材７５をハンガー掛け部材７０に取り付けたときに、固定部材７５がハンガーのフックに対して鉛直方向下向きに適切な力を加えることができるよう設計される。より具体的には、ハンガーバー７２の長さ、伸長バンド７６の長さ、および伸長バンド７６の伸長率は、ハンガーの落下を防止するために必要な力をハンガーのフックに加えることができ、かつ、作業者がハンガーをハンガーバー７２に掛けるために固定部材７５を容易に上方に引き上げることができるよう、設計される。
【００２２】
また、図３に示す例では、ハンガーバー７２の上面に、長手方向に並ぶ複数の凸部７４が設けられている。凸部７４と凸部７４との間にハンガーを掛けることによって、ハンガーバー７２上でのハンガーの横滑りを防止することができる。これにより、複数の衣類の輸送時に通い箱１００が傾き、ハンガーバー７２が傾いた場合であっても、衣類同士の間隔を保つことができる。その結果、衣類が重なることによる皺、癖、折り目などの発生を抑制することができる。なお、凸部７４の数および隣り合う凸部７４の間隔は、特に限定されず、適宜設計することができる。凸部７４の数は、例えば５個〜３０個であり、代表的には１７個である。凸部７４の間隔は、例えば５ｍｍ〜５０ｍｍであり、代表的には２０ｍｍである。
【００２３】
また、凸部７４が設けられていない部分のハンガーバー７２の上面と、固定部材７５との間隔が大きすぎる場合、ハンガーの上下方向の可動域が大きくなり、ハンガーのフックがハンガーバー７２から外れるおそれがある。したがって、上記間隔は、ハンガーのフックが外れない程度にハンガーの可動域を制限することができるよう適切に設計され、例えば、３ｍｍ〜３０ｍｍとすることが好ましい。
【００２４】
＜箱本体＞
上述のように、箱本体１は略直方体形状を有している。図１に示すように、箱本体１の外面は、互いに対向する上面部１０および底面部２０と、互いに対向する前側壁部３０および後側壁部４０と、互いに対向する右側壁部５０と左側壁部６０と、によって構成されている。
【００２５】
箱本体１は、衣類などを出し入れすることができるように、外面の一部が開閉可能に構成されている。図５は、本発明の実施形態に係る箱本体の開いた状態を示す斜視図である。図５に示す例では、前側壁部３０の全部または一部が開かれているとともに、ハンガー掛け部材７０が箱本体１から取り外されている状態を示す。
【００２６】
前側壁部３０の全部または一部を開閉可能にするための構成としては、任意の適切な構成を採用し得る。図１に示す例では、前側壁部３０の各辺のうち、上面部１０と共有する辺、右側壁部５０と共有する辺、および左側壁部６０と共有する辺に沿って、ファスナ３１が設けられている。ファスナ３１は、スライダー３２によって開閉可能に構成されている。前側壁部３０の開閉にファスナを用いることにより、優れた密閉性を実現し、かつ、ほこりや水等の箱本体内への浸入を防止することができる。
【００２７】
図５に示す例では、ハンガー掛け部材７０を箱本体１に取り付けるための取付部５３は、上下に開口するように両端が箱本体の内面に縫い付けられた帯状の部材であり、右側壁部５０および左側壁部６０のそれぞれの内面の上部近傍に縫い付けられている。上記の構成によれば、ハンガー掛け部材７０の装着部７３を取付部５３の開口に引っ掛けることによって、ハンガー掛け部材７０を箱本体１の内部に着脱自在に取り付けることができる。
【００２８】
また、図１および図５に示す例では、右側壁部５０および左側壁部６０の外面に、帯状の持ち手５２が設けられている。これにより、通い箱１００を輸送する際、持ち手５２を掴むことによって、通い箱１００の輸送を容易化することができる。
【００２９】
箱本体１は、折りたたみ可能に構成されていることが好ましい。これにより、衣類などを収納する必要がないときに、箱本体１を小さく折りたたんで保管することができる。箱本体１を折りたたみ可能とするための構成は、任意の適切な構成を採用し得る。以下に、上記構成の一例について説明する。
【００３０】
右側壁部５０および左側壁部６０は、箱本体１の内側に折り曲げ可能に構成されている。上記構成としては、任意の適切な構成を採用し得る。図示例では、左側壁部６０は変形自在のシート材からなり、箱本体１が自立するために十分な剛性を有する２枚の分割補強板６１ａを内包している。２枚の分割補強板６１ａは、シート材の中で左右に並ぶように配置されており、２枚の分割板６１ａの間の分割線６１ｂに沿ってシート材が縫合されている。図示を省略するが、右側壁部５０も同様の構成を有している。上記構成によれば、右側壁部５０および左側壁部６０のそれぞれを、分割線６１ｂに沿って容易に折り曲げることができる。シート材としては、任意の適切なシート材が用いられ、例えば、織布および／または不織布が用いられる。分割補強板６１ａとしては、任意の適切な板材が用いられ、例えば、プラスチック段ボール板が用いられる。
【００３１】
上面部１０および底面部２０は、箱本体１を折りたたむ際に変形可能に構成されている。上記構成としては、任意の適切な構成を採用し得る。図示例では、底面部２０は変形自在のシート材からなり、底面部２０の内面側に、１枚の補強板２１が重ね合わされている。図示例のように、底面部２０と補強板２１とは、概ね同形状であり、面ファスナ２２によって互いに貼り合わされていてもよい。また、補強板２１の内面側には取っ手２３が設けられていてもよい。同様に、上面部１０は変形自在のシート材からなり、上面部１０の内面側に、１枚の補強板１１が重ね合わされている。図示例のように、上面部１０と補強板１１とは、概ね同形状であり、面ファスナ１２によって互いに貼り合わされていてもよい。また、図示を省略するが、補強板１１の内面側には取っ手が設けられていてもよい。シート材としては、任意の適切なシート材が用いられ、例えば、織布および／または不織布が用いられる。補強板１１および補強板２１としては、任意の適切な板材が用いられ、例えば、プラスチック段ボール板が用いられる。
【００３２】
前側壁部３０は、開閉を容易にするために、例えばシート材で構成されていてもよい。また、後側壁部４０は、シート材で構成されていてもよいし、上記補強板１１と同様の板材を内包したシート材で構成されていてもよい。前側壁部３０の内面には、折りたたんだ状態の通い箱１００を巻回するための巻回部３４が設けられている。巻回部３４は、好ましくはゴムバンドである。さらに、前側壁部３０の内面には、ハンガー掛け部材７０を収納するための収納部３３が設けられている。
【００３３】
補強板１１は、後側壁部４０の上辺に回動自在に取り付けられており、補強板２１は、後側壁部４０の下辺に回動自在に取り付けられている。
【００３４】
図６〜図９は、箱本体を折りたたむ手順を工程に示す斜視図である。箱本体１を折りたたむ際は、第一に、図６に示すように、前側壁部３０を開いた状態とし、ハンガー掛け部材７０を収納部３３に収納するとともに、取っ手２３を引いて補強板１１および補強板２１を後側壁部４０の内面に向かって回動させる。
【００３５】
次に、図７に示すように、補強板１１および補強板２１を回動させ、補強板１１および補強板２１の上面を、後側壁部４０の内面に接触させた状態とする。
【００３６】
次に、図８に示すように、右側壁部５０および左側壁部６０を、分割板６１ａどうしが重なるようにして、分割線６１ｂに沿って内側に折り曲げる。
【００３７】
最後に、図９に示すように、前側壁部３０が後側壁部４０に対向するように前側壁部３０を持ちあげ、後側壁部４０、右側壁部５０、および左側壁部６０を巻回部３４で括る。以上の手順により、非常に簡易な作業で箱本体１を折りたたむことができる。
【産業上の利用可能性】
【００３８】
本発明の通い箱は、製品等の輸送、特に衣類の輸送に好適に用いられる。
【符号の説明】
【００３９】
１        箱本体
７０      ハンガー掛け部材
７１      ハンガー掛け本体
７２      ハンガーバー
７４      凸部
７５      固定部材
７７      係止部
１００    通い箱
【図１】
2017212536.tif 000003
【図２】
2017212536.tif 000004
【図３】
2017212536.tif 000005
【図４】
2017212536.tif 000006
【図５】
2017212536.tif 000007
【図６】
2017212536.tif 000008
【図７】
2017212536.tif 000009
【図８】
2017212536.tif 000010
【図９】
2017212536.tif 000011
【国際調査報告】
2017212536.tif 000012
2017212536.tif 000013
2017212536.tif 000014
2017212536.tif 000015